(57)【要約】【課題】スケジュール及びコンセントの電力計測に基づき、電子機器への電力供給の開始又は停止の命令を送る電力供給管理システムを提供する。【解決手段】制御情報生成部４２が、コンセント１２についての電力計測値がコンセント１２についての待機電力に相当する状態が所定の時間以上継続した場合に、電力供給時刻から電力遮断時刻までの間であっても、コンセント１２についての電力遮断命令を生成する。複数の電力供給システム１の各々において、ＣＰＵ１８が、管理サーバ４から電力遮断命令を受信した場合、出力制御部１４を第２の出力線ＯＵＴ２に電力を供給する状態とすることにより、コンセント１２への電力の供給を遮断する。【選択図】図１
2012029509.tif 000002
【特許請求の範囲】
【請求項１】
複数の電力供給システムと、その各々にネットワークを介して接続された管理装置とを備える電力供給管理システムであって、
前記電力供給システムは、
電子機器と接続され、電力を供給するコンセントと、
前記コンセント及び当該電力供給システムの監視制御部に接続された第１の出力線と、前記監視制御部に接続された第２の出力線とを備え、前記第１及び第２の出力線のいずれか一方に電力を供給する出力制御部と、
前記出力制御部が供給する電力を計測する電力計測部と、
前記第１の出力線又は前記第２の出力線のいずれか一方に電力を供給するように前記出力制御部を制御すると共に、前記電力計測部により計測された電力計測値、計測時刻及び前記出力制御部の出力状態を含む電力情報を記憶する監視制御部と、
前記第１の出力線又は前記第２の出力線から前記監視制御部に電力を供給する電源供給部とを備え、
前記管理装置は、
前記複数の電力供給システムの前記監視制御部から前記電力情報を収集する電力情報収集部と、
前記電力情報収集部により収集された前記電力情報と、前記複数の電力供給システムの前記コンセント毎に予め定められた電力供給時刻及び電力遮断時刻と、前記複数の電力供給システムの前記コンセント毎に予め定められた待機電力とを格納する記憶部と、
前記コンセントについての前記記憶部に格納された前記電力情報に基づいて、前記電力遮断時刻から前記電力供給時刻までの間において、前記コンセントについての前記電力計測値が前記コンセントについての前記待機電力である状態が所定の時間以上継続した場合に、当該コンセントについての電力遮断命令を生成する制御情報生成部とを備え、
前記複数の電力供給システムの各々において、前記監視制御部が、前記管理装置から前記電力遮断命令を受信した場合、前記出力制御部を前記第２の出力線に電力を供給する状態とすることにより、前記電子機器への電力の供給を遮断する
ことを特徴とする電力供給管理システム。
【請求項２】
前記制御情報生成部が、前記コンセントについての前記電力供給時刻において、当該コンセントについての電力供給命令を生成し、
前記複数の電力供給システムの各々において、前記監視制御部が、前記管理装置から前記電力供給命令を受信した場合、前記出力制御部を前記第１の出力線に電力を供給する状態とすることにより、当該コンセントを介して前記電子機器及び当該監視制御部に電力を供給する
ことを特徴とする請求項１に記載の電力供給管理システム。
【請求項３】
前記制御情報生成部が、前記電力遮断時刻の後のいずれかの時点において、前記コンセントについての前記記憶部に格納された前記電力計測値が前記コンセントについての前記待機電力に相当する状態が所定の時間以上継続しているかを監視する
ことを特徴とする請求項１に記載の電力供給管理システム。
【発明の詳細な説明】
【技術分野】
【０００１】
本発明は、電力供給管理システムに関し、特に、電子機器に電力を供給するコンセントに当該電子機器が接続されている状態での消費電力を抑える電力供給管理システムに関する。
【背景技術】
【０００２】
電力供給システムとして、機器のユーザの認証結果に基づいて、当該機器に電力を供給するシステムがある。例えば、電子機器のユーザを特定するユーザＩＤを取得し、取得したユーザＩＤと電力供給許可ユーザとして予め登録されているユーザＩＤとが一致するか判断し、認証した場合にはコンセント等を介して電子機器に電力を供給する電力供給システムが提案されている（特許文献１参照）。
【先行技術文献】
【特許文献】
【０００３】
【特許文献１】特開２００６−９４６５５号公報
【発明の概要】
【発明が解決しようとする課題】
【０００４】
前記従来技術においては、電力供給システムが備える複数のコンセントに電子機器のいずれかが接続されているときに、ある電子機器がどのコンセントと接続されているかについての問い合わせに応じて、当該電子機器が接続されているコンセントを特定することは行っていない。従って、従来技術によっては、例えばオフィス等において多数のコンセントに多数の電子機器が接続されているような場合に、電子機器のユーザが、当該電子機器がどのコンセントに接続されているかを認識することは困難である。
【０００５】
また、前記従来技術においては、電力供給システムが、外部の装置からの指示を受けて、当該電力供給システムに接続されている起動又は停止が必要となった電子機器に対応する遅延時間に応じたタイミングで当該電子機器への電力供給を開始又は停止することを行っていない。
【０００６】
そこで、本発明者は、前記従来技術の課題を解決し、更に省電力化することができる電力供給システム及び電力供給管理システムについて出願した（特願２００８−０８２５４９）。これによれば、電力供給管理システムは、予め作成されたスケジュールに基づいて、電力供給システムの電力供給の自動化及び電力供給を一元管理することができる。
【０００７】
しかし、本発明者がこの電力供給システムについて更に検討した結果、使用者の観点から、以下の問題があることを見出した。例えば、大学等の施設では、講義、研究、実験等の行われる時間帯が電子機器を使用する時間帯即ち「使用時間帯」として予め登録され、講義や研究の行われない時間帯が電子機器を使用しない時間帯即ち「不使用時間帯」として予め登録される。使用時間帯においては電子機器に電力が供給され、不使用時間帯においては電子機器への電力が遮断される。ところが、例えば実験等が遅延した結果、使用時間帯を超えて、不使用時間帯において、電子機器が使用されることがある。この場合には、たとえ不使用時間帯になったとしても、一律に電子機器への電力の供給を遮断することなく、電子機器に電力を供給し続けることが望ましい。
【０００８】
本発明は、電子機器へ電力を供給するコンセントにおける、予め設定されたスケジュール及びコンセントの電力計測に基づき、当該電子機器への電力供給の開始又は停止の命令を送る電力供給管理システムの提供を目的とする。
【課題を解決するための手段】
【０００９】
本発明の電力供給管理システムは、複数の電力供給システムと、その各々にネットワークを介して接続された管理装置とを備える。電力供給システムは、電子機器と接続され、電力を供給するコンセントと、前記コンセント及び当該電力供給システムの監視制御部に接続された第１の出力線と、前記監視制御部に接続された第２の出力線とを備え、前記第１及び第２の出力線のいずれか一方に電力を供給する出力制御部と、前記出力制御部が供給する電力を計測する電力計測部と、前記第１の出力線又は前記第２の出力線のいずれか一方に電力を供給するように前記出力制御部を制御すると共に、前記電力計測部により計測された電力計測値、計測時刻及び前記出力制御部の出力状態を含む電力情報を記憶する監視制御部と、前記第１の出力線又は前記第２の出力線から前記監視制御部に電力を供給する電源供給部とを備える。前記管理装置は、前記複数の電力供給システムの前記監視制御部から前記電力情報を収集する電力情報収集部と、前記電力情報収集部により収集された前記電力情報と、前記複数の電力供給システムの前記コンセント毎に予め定められた電力供給時刻及び電力遮断時刻と、前記複数の電力供給システムの前記コンセント毎に予め定められた待機電力とを格納する記憶部と、前記コンセントについての前記記憶部に格納された前記電力情報に基づいて、前記電力遮断時刻から前記電力供給時刻までの間において、前記コンセントについての前記電力計測値が前記コンセントについての前記待機電力である状態が所定の時間以上継続した場合に、当該コンセントについての電力遮断命令を生成する制御情報生成部とを備える。前記複数の電力供給システムの各々において、前記監視制御部が、前記管理装置から前記電力遮断命令を受信した場合、前記出力制御部を前記第２の出力線に電力を供給する状態とすることにより、前記電子機器への電力の供給を遮断する。
【００１０】
好ましくは、前記制御情報生成部が、前記コンセントについての前記電力供給時刻において、当該コンセントについての電力供給命令を生成する。前記複数の電力供給システムの各々において、前記監視制御部が、前記管理装置から前記電力供給命令を受信した場合、前記出力制御部を前記第１の出力線に電力を供給する状態とすることにより、当該コンセントを介して前記電子機器及び当該監視制御部に電力を供給する。
【００１１】
好ましくは、前記制御情報生成部が、前記電力遮断時刻の後のいずれかの時点において、前記コンセントについての前記記憶部に格納された前記電力計測値が前記コンセントについての前記待機電力に相当する状態が所定の時間以上継続しているかを監視する。
【発明の効果】
【００１２】
本発明の電力供給管理システムは、電力遮断時刻から電力供給時刻までの間において、一律に電子機器への電力の供給を遮断することなく、予め登録された待機電力と電力計測の結果とに基づいて、電子機器への電力供給を停止することができる。これにより、例えば、使用される電子機器が使用時間帯を超えて不使用時間帯において使用された場合であっても、当該電子機器の運用状態に応じて電子機器へ継続して電力を供給することができる。不使用時間帯において使用されていない電子機器については電力の供給を遮断すると共に、不使用時間帯において使用されている電子機器については電力の供給を継続し、使用されなくなったら電力の供給を停止することができる。これにより、多数のコンピュータや電子機器を備える学校や会社等において、これらの機器への電力の供給を、柔軟に管理することができ、消費電力を削減することができる。
【図面の簡単な説明】
【００１３】
【図１】本発明のシステム構成の一例を示す図である。
【図２】計測情報、出力制御部の基本構成の例を示す図である。
【図３】電力情報の例を示す図である。
【図４】設定情報の例を示す図である。
【図５】コンセントボックスの基本動作の例を示すフローチャートである。
【図６】電力情報の問合せ及び応答、制御要求及び応答の処理を示すフローチャートである。
【発明を実施するための形態】
【００１４】
図１は、本発明の電力供給管理システムの構成の一例を示す。
【００１５】
この例の電力供給管理システムは、複数の電力供給システム（コンセントボックスともいう）１と、その各々にネットワーク５を介して接続された管理サーバ４とからなる。なお、図１において、電力供給システム１は１個のみ示している。
【００１６】
この電力供給システム１は、商用電源６から、コンセント１２を介して、これに接続された電子機器に電力を供給する。コンセントボックス１は、電子機器の電源プラグ２と接続される。また、コンセントボックス１は、他のコンピュータである管理サーバ４とネットワーク５を介して接続する。
【００１７】
コンセントボックス１は、コンセント部１１、ＡＣ／ＤＣ電源部１７、ＣＰＵ１８、ネットワーク制御部１９、記憶部２０、ネットワーク接続部（コネクタ）２１を備える。コンセント部１１は、コンセント１２、着脱検知スイッチ（ＳＷ）１３、出力制御部１４、電力計測部１５、整流素子１６を備える。
【００１８】
ＣＰＵ１８は、コンセント部１１を含むコンセントボックス１を監視し制御するコンセント制御部（即ち、監視制御部）であり、コンセント部１１に接続された電源プラグ２を介しての電子機器への電力供給を制御する。コンセント制御部は、ＣＰＵ１８と、コンセント制御プログラムとにより実現される。コンセント制御プログラムは、ＣＰＵ１８の主メモリ上に存在し、ＣＰＵ１８で実行される。
【００１９】
なお、図１においては、１つのコンセント部１１しか示していないが、コンセントボックス１がコンセント部１１を複数（例えば４個）備えるようにしても良い。この場合、ＣＰＵ１８、ネットワーク制御部１９、記憶部２０、ＡＣ／ＤＣ電源部１７、ネットワーク接続部２１は、例えば４個のコンセント部１１に共通に設けられる。
【００２０】
出力制御部１４は、ＣＰＵ１８からの制御に従って、商用電源６から供給される電力のコンセント１２（に挿入された電源プラグ２）に対する出力を制御する。出力制御部１４は、図２（Ｂ）及び図２（Ｃ）に示すラッチ式リレーからなる。
【００２１】
図２（Ｂ）及び（Ｃ）は、出力制御部１４にラッチ式リレーを用いた例における動作状態を示す。
【００２２】
出力制御部１４は、ラッチ式リレー、ラッチ式リレーの入力線ＩＮ、ラッチ式リレーの出力線ＯＵＴ１及びＯＵＴ２、ラッチ式リレーの制御線Ｃを備える。入力線ＩＮは、商用電源６に接続され、これから電力を供給される。第１の出力線ＯＵＴ１は、コンセント１２に接続され、これに電力を供給する。第２の出力線ＯＵＴ２は、整流素子１６及びＡＣ／ＤＣ電源部１７を介してＣＰＵ１８に接続され、ＣＰＵ１８（即ち、コンセント制御部）に電力を供給する。制御線Ｃは、ラッチ式リレーとＣＰＵ１８との間を接続し、ＣＰＵ１８から制御信号を供給され、この制御信号に従ってラッチ式リレーを制御する。出力制御部１４は、第１及び第２の出力線ＯＵＴ１及びＯＵＴ２のいずれか一方に電力を供給する。
【００２３】
例えば、出力制御部１４は、電力供給を指示する制御信号をＣＰＵ１８から受信すると、これに応じて、商用電源６から供給される電力を出力線ＯＵＴ１を通じてコンセント１２に出力する。即ち、図２（Ｂ）に示すように、出力制御部１４は、出力線ＯＵＴ１への切替え制御信号を受信して、リレー出力を出力線ＯＵＴ１に切替え（入力線ＩＮと出力線ＯＵＴ１とを接続するようにスイッチを切替え）、当該接続を保持する（ラッチする）。
【００２４】
一方、出力制御部１４は、電力供給の停止を指示する制御信号をＣＰＵ１８から受信すると、これに応じて、商用電源６からコンセント１２に対する電力供給を停止し、出力線ＯＵＴ１から電力の出力を行わない。即ち、図２（Ｃ）に示すように、出力制御部１４は、出力線ＯＵＴ２への切替え制御信号を受けて、リレー出力を出力線ＯＵＴ２に切替え（入力線ＩＮと出力線ＯＵＴ２とを接続するようにスイッチを切替え）、当該接続を保持する。
【００２５】
接続線ＯＵＴ３は、出力制御部１４の出力が、ＣＰＵ１８用の出力線ＯＵＴ２からコンセント１２用の出力線ＯＵＴ１に切替えられた場合において、出力線ＯＵＴ１からＣＰＵ１８（即ち、コンセント制御部）へ電力を供給するための配線である。このため、接続線ＯＵＴ３は、第１の出力線ＯＵＴ１と（ＡＣ／ＤＣ電源部１７を介して）ＣＰＵ１８とを接続し、電力を供給することになる。
【００２６】
出力線ＯＵＴ２及び接続線ＯＵＴ３には、各々、逆流防止用の整流素子１６が挿入される。整流素子１６は、例えばダイオードからなる。整流素子１６は、出力線ＯＵＴ２及び接続線ＯＵＴ３のいずれにおいても、出力制御部１４からＡＣ／ＤＣ電源部１７への方向が順方向となるように接続される。これにより、逆方向への電流の流れを阻止して、出力制御部１４とコンセント１２との間に、出力線ＯＵＴ２及び接続線ＯＵＴ３により電流パスが形成されることを防止することができる。
【００２７】
ＡＣ／ＤＣ電源部１７は、商用電源６からの電力を出力線ＯＵＴ１及び接続線ＯＵＴ３から又は出力線ＯＵＴ２から供給されて、商用電源６（ＡＣ）からＣＰＵ１８（及びその周辺回路であるネットワーク制御部１９及び記憶部２０、以下同じ）の動作のための直流電源（ＤＣ、例えば５Ｖ）を生成してこれらに供給する安定化電源回路である。
【００２８】
コンセント１２は、周知のコンセントからなり、電子機器が備える電源プラグ２が着脱可能に構成され、これに加えて、着脱検知ＳＷ１３をその内部に備える。着脱検知ＳＷ１３は、周知の構成を備え、コンセント１２への電源プラグ２の着脱（電源プラグ２がコンセント１２に挿入されたこと及びコンセント１２から抜かれたこと）を検知する。即ち、着脱検知ＳＷ１３は、電源プラグ２がコンセント１２に挿入したことを検知するとＯＮ状態となり、電源プラグ２がコンセント１２から抜かれたことを検知するとＯＦＦ状態となる。着脱検知ＳＷ１３の検出出力はＣＰＵ１８へ入力される。
【００２９】
コンセントボックス１（のＣＰＵ１８又はコンセント制御部）は、例えばコンセントボックス１が商用電源６に接続された場合、電力計測部１５に計測開始を指示し、管理サーバ４からの電力情報の問合せ、電力供給命令及び電力遮断命令の受信を待つ。
【００３０】
ＣＰＵ１８は、例えばコンセントボックス１が商用電源６に接続された場合、コンセント部１１の電力計測部１５に計測開始の制御信号を送信する。これに応じて、電力計測部１５は、商用電源６からコンセント１２を通じて電源プラグ２に供給される電力を逐次計測する。電力計測部１５の計測出力は、例えばデジタル信号に変換された後、ＣＰＵ１８へ入力される。ＣＰＵ１８は、所定の周期で電力計測部１５の計測出力を取り込んで、当該取り込んだ電力計測部１５の計測出力に基づいて所定の演算を行って消費電力（電力計測値）を算出する。例えば、ＣＰＵ１８は、電力計測部１５の計測出力が電流値及び電圧値である場合、電流値と電圧値の積を求める。
【００３１】
ＣＰＵ１８は、出力制御部１４の出力状態を、接続状態として、記憶部２０に記憶する。ＣＰＵ１８は、電力計測部１５が算出した電力計測値を、計測時刻等と共に、当該コンセント１２のコンセントＩＤに対応付けて記憶部２０に記憶する。これにより、記憶部２０にコンセント１２の電力情報が生成され蓄積される。
【００３２】
図２（Ａ）は、電力情報の一例を示す。電力情報は、コンセントＩＤ毎に、当該コンセントＩＤに対応するコンセント１２の接続状態、電力計測値、計測時刻を含む。
【００３３】
コンセントＩＤは、コンセントボックス１の備えるコンセント１２（又はコンセント部１１）を一意に識別する識別情報である。コンセントＩＤは、予め記憶部２０に設定される。
【００３４】
なお、コンセントＩＤは、例えばコンセントボックス１の外部から入力されるようにしても良い。例えば、ＣＰＵ１８が、例えばコンセントボックス１が商用電源６に接続された場合、ネットワーク制御部１９を介して、管理サーバ４との間で通信を行い、管理サーバ４からコンセントＩＤを取得するようにしても良い。
【００３５】
接続状態は、出力制御部１４の出力状態が出力ＯＮである（接続線ＩＮと出力線ＯＵＴ１が接続される）接続状態、及び、出力状態が出力ＯＦＦである（接続線ＩＮと出力線ＯＵＴ２が接続される）接続状態のいずれか一方である。即ち、接続状態は、出力制御部１４の制御線Ｃに送出されている制御信号の状態を示す。
【００３６】
なお、接続状態として、電子機器の電源プラグ２がコンセント１２に接続された時刻（出力ＯＮとなった時刻）を用いるようにしても良い。即ち、接続状態として、着脱検知ＳＷ１３のＯＮ状態又はＯＦＦ状態を用いるようにしても良い。
【００３７】
電力計測値は、電力計測部１５により逐次計測され、当該計測結果に基づいて算出された電力（Ｗ）である。計測時刻は、ＣＰＵ１８が電力計測値を算出するために電力計測部１５からの計測出力を取込んだ時刻である。
【００３８】
コンセントボックス１は、ネットワーク５を介して、管理サーバ４に接続され、これとの間で通信を行う。これにより、ＣＰＵ１８は、後述するように、管理サーバ４の電力情報収集部４１から電力情報の問合せを受信した場合、これに応答する。即ち、ＣＰＵ１８は、記憶部２０に格納された対応するコンセントＩＤの電力情報を記憶部２０から読み出して、ネットワーク制御部１９を介して、記憶部２０に格納された所定の計測回数分の電力計測値を含む電力情報を管理サーバ４へ送信する。これにより、管理サーバ４は、コンセントボックス１から電力情報の問合せに対する応答を受信する。
【００３９】
コンセントボックス１のＣＰＵ１８は、自己のコンセント１２についての電力情報を、定期的に記憶部２０に格納する。なお、実際には、電力計測値を算出する都度に、電力計測値及び計測時刻が蓄積される。そして、ＣＰＵ１８は、管理サーバ４からのポーリングに応じて、前回の電力情報の問合せから今回の電力情報の問合せまでの間に記憶部２０に格納された電力情報を、管理サーバ４に送信する。この後、ＣＰＵ１８は、管理サーバ４に送信した電力情報を記憶部２０から削除する。
【００４０】
ＣＰＵ１８は、管理サーバ４から後述する電力供給命令を受信した場合、これに応じて、出力制御部１４に電力供給を指示する制御信号を送信する。これにより、出力制御部１４は、商用電源６からの電力を出力線ＯＵＴ２に供給する（切替える）。即ち、コンセント部１１は、コンセント１２に挿入された電源プラグ２（即ち、電子機器）への電力の供給を開始する。
【００４１】
ＣＰＵ１８は、管理サーバ４から後述する電力遮断命令を受信した場合、これに応じて、出力制御部１４に電力供給の停止を指示する制御信号を送信する。これにより、出力制御部１４は、商用電源６からの電力を出力線ＯＵＴ２に供給する（切替える）。即ち、コンセント部１１は、コンセント１２に挿入された電源プラグ２（即ち、電子機器）への電力の供給を遮断する（停止する）。
【００４２】
これにより、待機モードとされて待機電力のみを消費する状態となっている電子機器についても、その待機電力分の電力消費を削減することができる。例えば、１台あたりの待機電力が１０Ｗ／時間の電子機器が１０００台であれば、不使用時間帯が１日に１０時間で稼働日が３００日であるとすると、１年間でおよそ１０（Ｗ）×１０００（台）×１０（時間）×３００（日）＝３００００ＫＷの電力消費を削減することができる。
【００４３】
ＣＰＵ１８は、電源プラグ２がコンセント部１１から抜かれた場合にも、出力制御部１４を第２の出力線ＯＵＴ２に切替えてコンセント制御部であるＣＰＵ１８への電力を供給する状態を維持する。電源プラグ２がコンセント部１１から抜かれたことは、着脱検知ＳＷ１３のＯＦＦ状態により知ることができる。電源プラグ２がコンセント部１１から抜かれた場合、待機電力以下の状態（実際には「０」の状態）が後述する所定の時間（状態継続時間）以上続くと、その時点で、ＣＰＵ１８は、コンセント１２への電力の供給を遮断する。このように制御しても、電源プラグ２がコンセント部１１から抜かれた場合、消費電力は「０」であるから、消費電力の削減という点からは何ら支障は無い。
【００４４】
なお、いわゆる電源スイッチ（図示せず）を、出力制御部１４とは別に設けるようにしても良い。この場合、商用電源６の供給は、出力制御部１４のみではなく、電源スイッチ（即ち、手動）によっても制御される。
【００４５】
管理サーバ４は、前述したように、複数のコンセントボックス１の各々からポーリングにより電力情報を受信する。また、管理サーバ４は、複数のコンセントボックス１の各々に電力供給命令及び電力遮断命令を送信する。
【００４６】
管理サーバ４は、電力情報収集部４１、制御情報生成部４２、電力情報記憶部４３、設定情報記憶部４４を備える。
【００４７】
電力情報収集部４１は、電力情報の問合せを生成し、ネットワーク５を介して、複数のコンセントボックス１の各々に、ポーリングにより電力情報の問合せを送信する。この時、後述する設定情報記憶部４４に基づいて、電力情報の問合せにおいて、コンセントＩＤが例えば設定情報記憶部４４における登録の順に指定される。これにより、所定の順で、複数のコンセントボックス１の各々に、電力情報の問合せが送信される。電力情報収集部４１は、電力情報の問合せに対する応答として、複数のコンセントボックス１の各々からその電力情報を受信し、受信した電力情報を電力情報記憶部４３に格納する。
【００４８】
図３（Ｂ）は、電力情報記憶部４３に格納されたコンセントＩＤ毎の電力情報の一例を示す。
【００４９】
受信した電力情報は、前述したように、各々、コンセントＩＤ、接続状態、電力計測値、計測時刻を含む。電力情報記憶部４３は、電力情報収集部４１から格納された順（又は、計測時刻の順）に、電力情報を格納する。即ち、電力情報記憶部４３の電力情報は、複数のコンセントボックス１の電力情報の集合であり、かつ、それらを時間的に蓄積したものである。
【００５０】
電力情報収集部４１は、電力情報記憶部４３に格納された電力情報に基づいて、待機時間継続時間を生成して、設定情報記憶部４４に格納する。例えば、電力情報収集部４１は、電力情報記憶部４３において、あるコンセントＩＤについて、電力計測値が待機電力以下に（又は、待機電力より小さく、以下同じ）なった時刻を抽出し、当該抽出した時刻以降において、当該電力計測値が待機電力以下でなくなったら当該抽出した時刻を破棄し、抽出した時刻から現在時刻までの時間を求める。これにより、待機時間継続時間を生成することができる。
【００５１】
なお、電力情報収集部４１は、受信した電力計測値が待機電力以下である場合に、その都度、電力情報記憶部４３の電力情報を参照して、当該判定をするようにしても良い。また、制御情報生成部４２が、以上の処理を実行するようにしても良い。
【００５２】
図４に、設定情報記憶部４４に格納される設定情報の一例を示す。
【００５３】
設定情報は、コンセントＩＤ毎に、運用電力、待機電力、ＯＮ時刻、ＯＦＦ時刻、状態継続時間、待機電力継続時間を含む。待機電力継続時間以外は、予め定められる。待機電力継続時間は、電力情報記憶部４３の電力情報に基づいて、逐次更新される。
【００５４】
運用電力は、コンセントＩＤに対応するコンセント１２に接続される可能性のある、複数の種類の電子機器の消費電力の中で、最も小さい消費電力の値である。運用電力は、通常、例えば２００Ｗに設定すれば足りる。待機電力は、当該電子機器の待機中の消費電力の最大値である。待機電力は、通常、運用電力よりも十分に小さい値、例えば運用電力の１／１０の値即ち２０Ｗに設定すれば足りる。
【００５５】
ＯＮ時刻（電力供給時刻）は、ＣＰＵ１８がコンセント１２へ電力供給を開始する時刻であり、例えば１日において電子機器の運用が開始される時刻である。ＯＦＦ時刻（電力遮断時刻）は、ＣＰＵ１８がコンセント１２への電力供給を遮断する時刻であり、例えば１日において電子機器の運用が終了する時刻である。状態継続時間は、電力遮断命令を生成するために定められた条件であり、ＯＦＦ時刻からＯＮ時刻までの期間において、電力計測値が待機電力である状態が続く時間を示す。
【００５６】
制御情報生成部４２は、電力計測値が設定情報の待機電力である状態が状態継続時間以上の期間継続した場合に、コンセント１２についての電力計測値が待機電力である状態であると判定する。
【００５７】
電力計測値が待機電力である状態か否かは、例えば、電力計測値が待機電力以下であるか否かにより判定することができる。前述したように、待機電力と運用電力とでは大きな差があるので、電力計測値が運用電力の１／２〜１／４以下である場合には、電力計測値が待機電力である状態と判定するようにしても良い。
【００５８】
以上のように、制御情報生成部４２は、設定情報記憶部４４に格納された設定情報に基づいて、コンセントＩＤの現在時刻がＯＮ時刻である場合に、当該コンセントＩＤのコンセント１２についての電力供給命令を生成して、これを当該コンセントＩＤのコンセント１２を備えるコンセントボックス１のＣＰＵ１８に送信する。
【００５９】
また、制御情報生成部４２は、設定情報記憶部４４に格納された設定情報に基づいて、コンセントＩＤの現在時刻がＯＦＦ時刻以降である場合において、当該コンセントＩＤのコンセント１２についての電力計測値が設定情報の待機電力である状態が状態継続時間以上の期間継続した場合に（即ち、待機電力継続時間が状態継続時間以上である場合に）、当該コンセントＩＤのコンセント１２についての電力遮断命令を生成して、これを当該コンセントＩＤのコンセント１２を備えるコンセントボックス１のＣＰＵ１８に送信する。
【００６０】
例えば、図４において、コンセントＩＤ＃００１について、運用電力が２００（Ｗ）、待機電力が２０（Ｗ）、ＯＮ時刻が８：００”、ＯＦＦ時刻が２４：００、状態継続時間が３０（分）である。従って、接続状態が出力ＯＮにおいて、電力計測値が待機電力２０（Ｗ）以下の状態が３０分間継続した場合に、電力遮断命令が生成される。なお、この時点で、例えば、待機電力継続時間が１０（分）である。
【００６１】
この場合、管理サーバ４は、８：００に、コンセントＩＤ＃００１のコンセントボックス１のＣＰＵ１８に対して、電力供給命令を送信する。これに応じて、ＣＰＵ１８は、コンセント１２（コンセントＩＤ＃００１）に、８：００に電力供給を開始するように出力制御部１４を制御する。
【００６２】
また、管理サーバ４は、２４：００において、電力計測値が待機電力２０（Ｗ）以下の状態が３０分間継続していない場合には、電力遮断命令を生成しない。これにより、電力を遮断することなく、コンセントＩＤ＃００１のコンセント１２に接続された電子機器には、電力が供給され続ける。この後、電力計測値が待機電力２０（Ｗ）以下の状態が３０分間継続した場合に、管理サーバ４は、電力遮断命令を生成して、コンセントＩＤ＃００１のコンセントボックス１のＣＰＵ１８に送信する。例えば、当該電子機器の電力計測値が、２３：２９に待機電力以下の状態となり、この状態がその後２３：５９まで３０分間継続した場合、管理サーバ４は、２４：００に電力遮断命令を送信する。
【００６３】
図５は、コンセントボックス１の基本動作の例を示すフローチャートである。
【００６４】
コンセントボックス１のＣＰＵ１８が、コンセント部１１の電力計測部１５へ電力計測の制御信号を送出する。これに応じて、電力計測部１５が、コンセント１２に供給される電力の計測を開始する（ステップＳ１）。
【００６５】
ＣＰＵ１８は、電力計測部１５が計測した電力計測値を取り込んで、取り込んだ電力計測値を、コンセントＩＤ、接続状態、計測時刻と共に記憶部２０に保存する（ステップＳ２）。なお、電力計測部１５が計測した電力計測値は、実際には、所定の時間間隔で取り込まれる。
【００６６】
ＣＰＵ１８は、管理サーバ４から、コンセント１２についての電力情報の問合せ（情報要求）を受信したか否かを判定する（ステップＳ３）。このために、ＣＰＵ１８は、受信した情報に、当該コンセントボックス１のコンセント１２のコンセントＩＤが含まれているか否かを判定する。受信した情報にコンセントＩＤが含まれている場合に、ＣＰＵ１８は、コンセント１２についての電力情報の問合せを受信したと判定する。制御要求についても同様である。コンセント１２についての電力情報の問合せを受信したと判定した場合には、ＣＰＵ１８は、記憶部２０に保存した電力計測値等の電力情報を、電力情報の問合せに対する応答として、管理サーバ４へ送信し（ステップＳ４）、この後、ステップＳ１を繰り返す。
【００６７】
ステップＳ３においてコンセント１２についての電力情報の問合せを受信していないと判定した場合には、ＣＰＵ１８は、更に、コンセント１２についての制御要求を受信したか否かを判定する（ステップＳ５）。コンセント１２についての制御要求を受信していないと判定した場合には、ステップＳ１を繰り返す。
【００６８】
一方、ステップＳ５において、コンセント１２についての制御要求を受信したと判定した場合には、ＣＰＵ１８は、受信した制御要求に基づいて、コンセント部１１の出力制御部１４を出力制御し（ステップＳ６）、この後、ステップＳ１を繰り返す。
【００６９】
具体的には、ステップＳ６において、受信した制御要求が「出力ＯＮ」の制御要求である場合、ＣＰＵ１８は、制御要求におけるＯＮ時刻において、制御要求におけるコンセントＩＤに一致するコンセント１２の出力制御部１４の出力を出力線ＯＵＴ１へ切り替える。受信した制御要求が「出力ＯＦＦ」の制御要求である場合、ＣＰＵ１８は、制御要求におけるＯＦＦ時刻において、当該コンセント１２の出力制御部１４の出力を出力線ＯＵＴ２へ切り替える。出力制御部１４の出力制御後に、ステップＳ１へ処理を戻す。
【００７０】
図６は、管理サーバ４における電力情報の問合せ及び応答、制御要求及び応答の処理を示すフローチャートである。
【００７１】
管理サーバ４の電力情報収集部４１及び制御情報生成部４２は、設定情報記憶部４４にコンセント１２毎に設定情報を設定する（ステップＳ１１）。
【００７２】
電力情報収集部４１は、コンセント１２に対する電力情報の問合せを生成し、ネットワーク５を介して、生成した電力情報の問合せをコンセントボックス１へ送信する（ステップＳ１２）。
【００７３】
電力情報収集部４１は、電力情報の問合せに対するコンセントボックス１からの応答を待ち（ステップＳ１３）、応答がない場合には、ステップＳ１２を繰り返す。応答がある場合には、電力情報収集部４１は、コンセントボックス１からの応答（電力情報）を受信した後、受信した電力計測値を含む電力情報を電力情報記憶部４３へ保存する（ステップＳ１４）。
【００７４】
次に、制御情報生成部４２は、設定情報記憶部４４に格納された設定情報に基づいて、受信した電力計測値が待機電力である状態が所定の時間（即ち、状態継続時間）以上継続しているか否かを判定する（ステップＳ１５）。電力計測値が待機電力である状態が状態継続時間以上継続していないと判定した場合、制御情報生成部４２は、ステップＳ１２を繰り返す。
【００７５】
電力計測値が待機電力である状態が状態継続時間以上継続していると判定した場合、制御情報生成部４２は、更に、設定情報記憶部４４に格納された設定情報に基づいて、現在時刻がＯＦＦ時刻を過ぎているか否かを判定する（ステップＳ１６）。現在時刻がＯＦＦ時刻を過ぎていない場合には、制御情報生成部４２は、ステップＳ１２を繰り返す。
【００７６】
現在時刻がＯＦＦ時刻を過ぎている場合には、制御情報生成部４２は、コンセント部１１の出力状態の判定を行う（ステップＳ１７）。即ち、制御情報生成部４２は、電力情報記憶部４３における当該コンセントＩＤの出力状態を参照する。参照した出力状態が出力ＯＦＦの状態である場合、制御情報生成部４２は、既にＯＦＦ状態であるので、出力をＯＦＦとするための制御要求を生成することなく、ステップＳ１２を繰り返す。
【００７７】
ステップＳ１７において、参照した出力状態が出力ＯＮの状態である場合、制御情報生成部４２は、出力がＯＮであるにも拘わらず待機電力の状態が長く続いているので、当該コンセントＩＤに対応するコンセント１２を出力ＯＦＦとするための制御要求を生成し、ネットワーク５を介して、出力ＯＦＦとするための制御要求をコンセントボックス１へ送信する（ステップＳ１８）。
【００７８】
これにより、例えば、コンセントＩＤ＃００１の電力計測値が待機電力（例えば２０Ｗ）以下である時間が状態継続時間（例えば３０分）以上続いている場合、制御情報生成部４２は、その時点で、出力ＯＮとするための制御要求を生成し、当該制御要求をコンセントＩＤ＃００１のコンセント１２を有するコンセントボックス１へ送信する。
【００７９】
また、例えば、コンセントＩＤ＃００１のＯＦＦ時刻が２４：００である場合、制御情報生成部４２は、２４：００の時点までに電力計測値が２０Ｗ以下である時間が３０分以上続いている場合、当該ＯＦＦ時刻（２４：００）を経過した時点で、出力ＯＦＦとするための制御要求をコンセントＩＤ＃００１のコンセント１２を有するコンセントボックス１へ送信するようにしても良い。
【００８０】
次に、制御情報生成部４２は、現在時刻が設定情報に設定されたＯＮ時刻であるか否かを判定する（ステップＳ１９）。現在時刻がＯＮ時刻を過ぎていない場合には、制御情報生成部４２は、ステップＳ１２を繰り返す。現在時刻がＯＮ時刻を過ぎている場合には、制御情報生成部４２は、出力ＯＮとするための制御要求を生成し、ネットワーク５を介して、当該コンセントＩＤに対応するコンセント１２へ出力ＯＮとするための制御要求を送信し（ステップＳ１１０）、この後、ステップＳ１２を繰り返す。
【００８１】
なお、実際には、例えば、コンセントＩＤ＃００１のＯＮ時刻が８：００である場合、制御情報生成部４２は、８：００の前、例えば７：５５に、ＯＮ時刻（８：００）での出力ＯＮとするための制御要求をコンセントＩＤ＃００１のコンセント１２を有するコンセントボックス１へ送信する。
【００８２】
以上により、この電力供給管理システムは、以下のように動作する。
【００８３】
例えば、管理サーバ４は、設定情報記憶部４４に基づいて、現在時刻がＯＮ時刻となったコンセントボックス１のコンセント１２に、電力供給命令を送信する。これに応じて、当該コンセントボックス１のＣＰＵ１８は、当該コンセント１２に電力を供給する。また、管理サーバ４は、ポーリングにより複数のコンセントボックス１の各々に電力情報の問合せを送信する。
【００８４】
コンセントボックス１は、自己のコンセント１２についての電力情報を定期的に記憶部２０に格納する。そして、コンセントボックス１は、管理サーバ４からのポーリングに応じて、前回の電力情報の問合せから今回の電力情報の問合せまでの間に記憶部２０に格納された電力情報を、管理サーバ４に送信する。
【００８５】
管理サーバ４は、複数のコンセントボックス１から受信した電力情報を電力情報記憶部４３に格納し、待機電力の状態が継続している時間を算出して設定情報記憶部４４に格納する。そして、管理サーバ４は、設定情報記憶部４４に基づいて、現在時刻がＯＦＦ時刻となったコンセントボックス１のコンセント１２について、待機電力の状態が所定の時間以上継続している場合に、電力遮断命令を送信する。これに応じて、当該コンセントボックス１のＣＰＵ１８は、当該コンセント１２への電力の供給を遮断する。
【符号の説明】
【００８６】
１    コンセントボックス
２    電源プラグ
４    管理サーバ
５    ネットワーク
６    商用電源
１１  コンセント部
１２  コンセント
１３  着脱検知スイッチ
１４  出力制御部
１５  電力計測部
１６  整流素子
１７  ＡＣ／ＤＣ電源部
１８  ＣＰＵ
１９  ネットワーク制御部
２０  記憶部
２１  ネットワーク接続部
４１  電力情報収集部
４２  制御情報生成部
４３  電力情報記憶部
４４  設定情報記憶部
【図１】
2012029509.tif 000003
【図２】
2012029509.tif 000004
【図３】
2012029509.tif 000005
【図４】
2012029509.tif 000006
【図５】
2012029509.tif 000007
【図６】
2012029509.tif 000008